(57)【要約】【課題】座席の凭れ部の背部だけでなく、その他さまざまな場所に物入れを設けて、収納場所を増やす。【解決手段】座席において、凭れ部の前部、座の前側面、座の後側面に物入れを設けることができる。さらに、凭れ部の背部に物入れを設けて、使用しないときには、凭れ部の背部に平面固定化することができるようにすることが好ましい。平面固定化手段は、凭れ部の背部側と物入れ前部側とを接合させるものであり、スライドファスナ、面ファスナ、スナップファスナ、ボタンのうち何れか１つからなる。【選択図】図１
0003118621.tif 000002
【実用新案登録請求の範囲】
【請求項１】
座（６）と凭れ部（１）と側部（７）と脚部（８）からなる座席であって、前記凭れ部（１）の前部に物入れ（２）を設けたことを特徴とする座席（２）。
【請求項２】
座（６）と凭れ部（１）と側部（７）と脚部（８）からなる座席であって、前記座の前側面に物入れ（３）を設けたことを特徴とする座席。
【請求項３】
座（６）と凭れ部（１）と側部（７）と脚部（８）からなる座席であって、前記座の後側面に物入れ（４）を設けたことを特徴とする座席。
【請求項４】
座（６）と凭れ部（１）と側部（７）と脚部（８）からなり、前記凭れ部の背面に物入れ（５）を有する座席であって、前記物入れ（５）は、不使用時には、前記凭れ部の背面に平面化されて、固定される平面固定化手段（５５）を有することを特徴とする座席。
【請求項５】
前記平面固定化手段が、物入れの背部（５４）に対して底部（５２）と前部（５１）とを接合させるものであり、スライドファスナ（５５）、面ファスナ、スナップファスナ、ボタンのうち何れか１つからなる請求項４記載の座席。
【請求項６】
前記物入れ底部（５２）と前部（５１）が前記凭れ部背面と同一色及び同一材質である請求項４又は５記載の座席。
【考案の詳細な説明】
【技術分野】
【０００１】
本考案は、自動車、列車、飛行機等の物入れ付き座席に関する。
【背景技術】
【０００２】
座席用の物入れとしては、自動車の座席の凭れ部の背部に取り付けて、雑誌、新聞、その他の小物を一時的に収納保持するためのネットポケットが周知である（例えば、下記特許文献１参照）。
【特許文献１】実用新案登録第３０５８７９９号
【考案の開示】
【考案が解決しようとする課題】
【０００３】
本考案は、凭れ部の背部だけでなく、その他さまざまな場所にネットポケットを設けて、収納場所を増やした座席を提供することを目的とする。
【課題を解決するための手段】
【０００４】
本考案は、第１の観点では、座と凭れ部と側部と脚部からなる座席であって、前記凭れ部の前部に物入れを設けたことを特徴とする座席である。
【０００５】
第２の観点では、座と凭れ部と側部と脚部からなる座席であって、前記座の前側面に物入れを設けたことを特徴とする座席である。
【０００６】
第３の観点では、座と凭れ部と側部と脚部からなる座席であって、前記座の後側面に物入れを設けたことを特徴とする座席である。
【０００７】
第４の観点では、座と凭れ部と側部と脚部からなり、前記凭れ部の背部に物入れを有する座席であって、前記物入れは、不使用時には、前記凭れ部の背部に平面化されて、固定される平面化固定手段を有することを特徴とする座席である。
【考案の効果】
【０００８】
第１の観点の本考案は、着席者の背中を暖めるための使い捨てカイロなどを収納することができる。着席者がいないときには、ペンやメモを入れておくことができる。
【０００９】
第２の観点の本考案は、普段よく使うが外部の人に気づかれてほしくないもの、例えば、小銭、カード類、ポケットティシューなどを収納することができる。
【００１０】
第３の観点の本考案は、普段あまり使用しないがいざというときに必要なもの、例えば、折り畳み傘や懐中電灯を収納することができる。
【００１１】
第４の観点の本考案は、ある程度大きな立体物を収納するが、使用しないときには目立ってほしくないもの、例えばペットボトルを収納することができる。
【考案を実施するための最良の形態】
【００１２】
物入れはネット状ポケットが好ましいが、その他、袋や容器であってもよい。
【００１３】
凭れ部の前部は、例えば、カイロを入れるときなどは、凭れ部の前部の下段が好ましいが、その他、上段や中段でもよい。
【００１４】
座の前側面及び座の後側面は幅一杯使用するのが好ましいが、部分的に使用することもできる。
【００１５】
第４の観点における平面固定化手段とは、例えば、物入れの背部と底部と前部とを接合させるものであり、スライドファスナ、面ファスナ、スナップファスナ、ボタンのうち何れか１つからなる。前記物入れ底部と前部は前記凭れ部背面と同一色及び同一材質であることが好ましい。このように構成することにより、凭れ部背面に平面固定化したとき、物入れが目立たなくなる。
【実施例１】
【００１６】
以下、添付の図面に基づき、本考案の実施例を説明する。
【００１７】
図１に示すように、本考案の座席は、座６と凭れ部１と側部７と脚部８を有する。凭れ部１の前部の下部にはネット状のポケット２が設けられている。このネットポケット２は、上部が開口しており、上縁２１が弾力紐（例えばゴム紐）で、両側部２２及び底部２３が座席自体により封鎖されている。全体にネット２４が張られている。
【００１８】
このネットポケット２には、着席者の背中を暖めるための使い捨てカイロなどを収納することができる。着席者がいないときには、ペンやメモを入れておくことができる。
【実施例２】
【００１９】
図２に示すように、座６の前側面にネット状のポケット３が設けられている。このネットポケット３は、上部が開口しており、上縁が弾力紐３１（例えばゴム紐）で、両側部３２及び底部３３が座席自体により封鎖されている。全体にネット３４が張られている。
【００２０】
このネットポケット３には、普段よく使うが外部の人に気づかれてほしくないもの、例えば、小銭、カード類、ポケットティシューなどを収納することができる。
【実施例３】
【００２１】
図２に示すように、座６の後側面にネット状のポケット４が設けられている。このネットポケットは、上部が開口しており、上縁４１が弾力紐（例えばゴム紐）で、両側部４２及び底部４３が座席自体により封鎖されている。全体にネット４４が張られている。
【００２２】
このネットポケットには、普段あまり使用しないがいざというときに必要なもの、例えば、折り畳み傘や懐中電灯を収納することができる。
【実施例４】
【００２３】
図２に示すように、凭れ部１の背部中央左側にネット状のポケット５が設けられている。このポケット５は、上部が開口しており、ここからペットボトルなどを入れたり出したりすることができる。前部５１及び底部５２は凭れ部１の背面と同一色、同一材質の材料が使用されており、両側部５３がネットになっている。
【００２４】
物入れ前部５１及び凭れ部側の物入れ後部５４の周縁にはスライドファスナ５５の務歯がそれぞれ設けられていて、この物入れを使用しないときには、図３に示すように、スライダー５６を周回させてスライドファスナ５５の務歯同士をとじ合わせることができる。
【００２５】
凭れ部１の背面と同一色、同一材質の材料を前部５１及び底部５２に使用したとき、凭れ部１の背面に対して物入れ５が密着するので、違和感がなくなる。
【実施例５】
【００２６】
実施例４の構成において、図示しないが、スライドファスナを他の接続手段、例えば、面ファスナ、スナップファスナ、ボタン、等でとじ合わせることもできる。
【図面の簡単な説明】
【００２７】
【図１】第１実施例及び第２実施例を示す座席の斜視図である。
【図２】第３実施例及び第４実施例を示す座席の斜視図である。
【図３】第４実施例変形過程を示す斜視図である。
【符号の説明】
【００２８】
１     凭れ部
２     ネットポケット
２１   上縁
２２   両側部
２３   底部
２４   ネット
３     ネットポケット
３１   弾力紐
３２   両側部
３３   底部
３４   ネット
４     ネットポケット
４１   上縁
４２   両側部
４３   底部
４４   ネット
５     ポケット
５１   前部
５２   底部
５３   両側部
５４   後部
５５   務歯
５６   スライダー
【図１】
0003118621.tif 000003
【図２】
0003118621.tif 000004
【図３】
0003118621.tif 000005